(57)【特許請求の範囲】
【請求項１】
遊技盤に設けられ、駆動手段により回転駆動される回転体と、該回転体に形成されて外周側に開口し、遊技球を受け止め可能な収納穴と、前記回転体の周囲に位置し、該回転体の外周へ遊技球を導く入球部が設けられる周辺部材とを備えた遊技機であって、
前記入球部は、取入口から受け入れた遊技球が前記回転体の外周に沿って移動し得るように画成されると共に、該入球部を移動する遊技球を遊技盤前側から視認し得るように構成され、
前記入球部における前記取入口から前記回転体の回転方向前側へ離間した部位に、該入球部を介して回転体の外周に至った遊技球が当接した際に該回転体から離間する方向に弾性変形可能な板バネからなる弾性部材が配設され、
前記弾性部材における前記入球部に臨む部分は、前記回転体に向けて膨出するように湾曲する第１湾曲部位と、この第１湾曲部位に連設されて該回転体から離間する側に膨出するように湾曲する第２湾曲部位とを備え、該第２湾曲部位の外面が該入球部を画成する前記周辺部材に接触するよう構成された
ことを特徴とする遊技機。
【請求項２】
前記回転体の周囲に位置する周辺部材には、前記回転体の収納穴に受け止めた遊技球を遊技者にとって有利な入球口に導く経路と、前記回転体の収納穴から逸れた遊技球を遊技者にとって有利でない入球口に導く経路とが設けられ、
前記入球部には、該入球部の前側を覆う透明板に設けられた切欠きを介して入球部から前側へ転動した遊技球を遊技者にとって有利でない入球口に導く前記経路が接続された請求項１記載の遊技機。
【請求項３】
前記弾性部材は、コ字状に折曲形成されると共に、係合口が形成された止め部を備え、
前記弾性部材は、前記回転体の周囲に位置する周辺部材に設けた受け部を止め部で挟持すると共に、係合口を受け部に突設された係合爪に係合することで該周辺部材に対して着脱自在に装着される請求項１または２記載の遊技機。
【請求項４】
前記取入口は、前記回転体の回転中心を通る鉛直線より左右方向の一方に偏倚する位置に設けられると共に、前記弾性部材は、該鉛直線より左右方向の他方に偏倚する位置に設けられた請求項１〜３の何れか一項に記載の遊技機。
【請求項５】
前記周辺部材として、前記回転体の上方に配設され、上下方向に延在する第１画成部材と、該第１画成部材の側方に離間して回転体の外周に沿う弧状に延在するよう配設された第２画成部材とを備え、該第１画成部材および第２画成部材で前記入球部が画成されると共に、回転体の外周面で入球部の下面を構成した請求項１〜４の何れか一項に記載の遊技機。
【発明の詳細な説明】
【技術分野】
【０００１】
この発明は、収納穴に受け止めた遊技球を移送する回転体を備えた遊技機に関するものである。
【背景技術】
【０００２】
代表的な遊技機であるパチンコ機において、機内にセットされる遊技盤の盤面に形成した遊技領域に、モータにより一定方向に回転する回転体を備えた装飾部材を配設し、遊技領域を流下する遊技球を回転体に設けた収納穴に受け止めて、入賞口やアウト口に振分けるようにしたものがある。前記装飾部材では、回転体を囲繞する周辺部材に球通過口が形成され、遊技領域から装飾部材内に通入した遊技球が球通過口を介して回転体の収納穴に落入するよう構成されている。
【０００３】
前記遊技機では、回転中の回転体の収納穴に遊技球が落入するタイミングによっては、前記周辺部材における球通過口の側縁と回転体における収納穴の側縁との間で遊技球を噛み込んでしまい、回転体が異常停止する場合がある。そこで、このような球噛みを解消あるいは防止するため、球噛みが発生した場合にはモータを逆回転して回転体を逆回転させるもの(例えば、特許文献１参照)や、回転体あるいは周辺部材の側縁に球噛み防止用の傾斜状部(テーパー部)を設けたもの(例えば、特許文献２参照)が提案されている。
【特許文献１】特開平７−８０１３２号公報
【特許文献２】特許第２５７７７１１号公報
【発明の開示】
【発明が解決しようとする課題】
【０００４】
特許文献１に開示の遊技機のように、球噛みが発生した際にモータを逆回転させる装置では、球噛みを確実に解消し得るものではあるが、エラー処理として回転体を逆回転させるため、制御回路において球噛みに対する処理の負担が大きいという問題があった。また、球噛みが発生したことを検出する手段を別途必要とし、制御用の部品点数が多くなって制御回路の負担が増加してしまう。
【０００５】
特許文献２に開示の遊技機では、回転体あるいは周辺部材に球噛み防止用の傾斜状部を設けるだけでよく、制御回路の負担が増加することはない。しかしながら、遊技機を遊技ホールの設置台に設置した際の傾斜度合いによっては、回転体あるいは周辺部材の側縁に傾斜状部が設けられていても球噛みが発生するおそれがある。この対策としては、遊技機の設置姿勢に応じた傾斜状部を回転体あるいは周辺部材に設けることが考えられるが、各遊技機毎に設置姿勢が異なるために現実的には不可能である。また回転体に傾斜状部を設ける場合、収納穴が大きくなって遊技球を収納穴に受け止める確率(入賞率)が設計者の意図する確率より高くなるため、該確率を意図した確率とするためには、他の手段によって調節する必要を生ずる難点も指摘される。
【０００６】
すなわち本発明は、従来の技術に係る遊技機に内在する前記課題に鑑み、これを好適に解決するべく提案されたものであって、制御回路の負担を増加することなく、設置姿勢が違っていても確実に球噛みを防止し得る遊技機を提供することを目的とする。
【課題を解決するための手段】
【０００７】
前記課題を克服し、所期の目的を達成するため、本願の請求項１に係る発明は、
遊技盤(10)に設けられ、駆動手段(37)により回転駆動される回転体(34)と、該回転体(34)に形成されて外周側に開口し、遊技球(B)を受け止め可能な収納穴(34a)と、前記回転体(34)の周囲に位置し、該回転体(34)の外周へ遊技球(B)を導く入球部(45)が設けられる周辺部材(38,39)とを備えた遊技機であって、
前記入球部(45)は、取入口(44)から受け入れた遊技球(B)が前記回転体(34)の外周に沿って移動し得るように画成されると共に、該入球部(45)を移動する遊技球(B)を遊技盤(10)前側から視認し得るように構成され、
前記入球部(45)における前記取入口(44)から前記回転体(34)の回転方向前側へ離間した部位に、該入球部(45)を介して回転体(34)の外周に至った遊技球(B)が当接した際に該回転体(34)から離間する方向に弾性変形可能な板バネからなる弾性部材(48)が配設され、
前記弾性部材(48)における前記入球部(45)に臨む部分は、前記回転体(34)に向けて膨出するように湾曲する第１湾曲部位(50a)と、この第１湾曲部位(50a)に連設されて該回転体(34)から離間する側に膨出するように湾曲する第２湾曲部位(50b)とを備え、該第２湾曲部位(50a)の外面が該入球部(45)を画成する前記周辺部材(39)に接触するよう構成されたことを特徴とする。
【０００８】
請求項１の発明によれば、遊技球が当接した際に弾性部材が弾性変形することで、該弾性部材と回転体との間での遊技球の移動が許容され、該遊技球が噛み込まれて移動し得なくなるのを防止できる。すなわち、弾性部材の弾性力は、遊技球を収納穴に入れる方向あるいは入れない方向へ作用し、回転体との間で遊技球の移動が不能状態となって球噛みが発生するのを防止し得る。しかも、遊技機の設置姿勢が違っている場合は、その姿勢に応じて弾性部材が弾性変形するから、各遊技機毎に取付け状態を変える必要はない。また、回転体を逆回転させるものではないから、制御回路の負担を増加することなく、確実な球噛み防止を図り得る。更に、収納穴に加工を施すものではないから、該収納穴に遊技球が受け止められる確率を計設者の意図した確率とするために、別の調節手段を設ける必要はない。弾性部材における入球部に臨む部分は、回転体に向けて膨出するように湾曲する第１湾曲部位と、この第１湾曲部位に連設されて該回転体から離間する側に膨出するように湾曲する第２湾曲部位とを備えているから、弾性部材に対する遊技球の当接位置によって、弾性部材の弾性力が遊技球に対して作用する方向が変化するから、該遊技球の動きも変化し、遊技の興趣が向上する。また、弾性部材として板バネを用いることで、構成が簡単となる。
【０００９】
請求項２に係る発明では、前記回転体(34)の周囲に位置する周辺部材(40,41,42,43)には、前記回転体(34)の収納穴(34a)に受け止めた遊技球(B)を遊技者にとって有利な入球口(24)に導く経路(46)と、前記回転体(34)の収納穴(34a)から逸れた遊技球(B)を遊技者にとって有利でない入球口(62)に導く経路(47)とが設けられ、
前記入球部(45)には、該入球部(45)の前側を覆う透明板(28)に設けられた切欠きを介して入球部(45)から前側へ転動した遊技球(B)を遊技者にとって有利でない入球口(62)に導く前記経路(47)が接続されたことを要旨とする。
請求項２の発明によれば、回転体の収納穴に遊技球が受け止められるか否かによって、遊技球が遊技者にとって有利な入球口に至る経路に導かれるのか、あるいは有利ではない入球口に至る経路に導かれるのかが決まるので、弾性部材の弾性力によって変化する遊技球の動きに遊技者の関心を引き付けることができ、興趣を向上させ得る。
【００１０】
請求項３に係る発明では、前記弾性部材(48)は、コ字状に折曲形成されると共に、係合口(49c)が形成された止め部(49)を備え、
前記弾性部材(48)は、前記回転体(34)の周囲に位置する周辺部材(40)に設けた受け部(40a)を止め部(49)で挟持すると共に、係合口(49c)を受け部(40a)に突設された係合爪(40b)に係合することで該周辺部材(40)に対して着脱自在に装着されることを要旨とする。
請求項３の発明によれば、弾性部材を、周辺部材に対して止め部と受け部とを介して装着するよう構成したから、ネジ等の固定部材を別途必要とせず、弾性部材を周辺部材に簡単に取付けることができる。また、別の固定部材を用いないから、部品点数が増加してコストが上昇するのを抑制し得る。
【００１１】
請求項４に係る発明では、前記取入口(44)は、前記回転体(34)の回転中心を通る鉛直線より左右方向の一方に偏倚する位置に設けられると共に、前記弾性部材(48)は、該鉛直線より左右方向の他方に偏倚する位置に設けられたことを要旨とする。
【００１２】
請求項５に係る発明では、前記周辺部材として、前記回転体(34)の上方に配設され、上下方向に延在する第１画成部材(38)と、該第１画成部材(38)の側方に離間して回転体(34)の外周に沿う弧状に延在するよう配設された第２画成部材(39)とを備え、該第１画成部材(38)および第２画成部材(39)で前記入球部(45)が画成されると共に、回転体(34)の外周面で入球部(45)の下面を構成したことを要旨とする。
【発明の効果】
【００１３】
本発明に係る遊技機によれば、制御回路の負担を増加することなく遊技球の噛み込みが発生するのを確実に防止し得る。また、遊技機の設置姿勢に影響されることなく、遊技球の噛み込みが発生するのを確実に防止し得る。
【発明を実施するための最良の形態】
【００１４】
次に、本発明に係る遊技機につき、好適な実施例を挙げて、添付図面を参照しながら、以下詳細に説明する。なお実施例では、遊技球としてパチンコ球を用いるパチンコ機を、遊技機の一例として説明する。また、以下の説明において前・後および左・右とは、特に断りのない限り、図１に示すようにパチンコ機の遊技盤を正面側から見た場合において指称するものとする。
【実施例】
【００１５】
図１に示す如く、実施例に係るパチンコ機の遊技盤１０は、その前面側に、略円形状に湾曲形成したレール１１により遊技領域１２が画成され、該遊技領域１２には、演出手段としてのセンター役物１３が配設されている。センター役物１３は、制御装置(図示せず)に接続されて各種の遊技演出を行なう演出装置１４,１５と、これら演出装置１４,１５や各種の装飾部品等が配設される装飾部材１６とを備える。実施例のセンター役物１３は、演出装置として、各種演出を表示することで表示演出を行なう表示演出装置１４と、光を点灯したり点滅することで発光演出を行なう発光演出装置１５とを備えるが、演出装置としては、可動体を動作させる演出を行なうもの等、その他の構成の装置を採用し得る。装飾部材１６は、演出装置１４,１５や装飾部品等の各種部品の取付部が前面および裏面に設けられた本体１７が、遊技盤１０の前面にネジ止め固定されている。なお、遊技盤１０には、装飾部材１６の形状や大きさ等に応じた前後に開放する開口部(図示せず)が開設され、装飾部材１６の裏面に取付けられた各種部品が、該開口部を介して遊技盤裏面に臨むようになっている。またセンター役物１３(装飾部材１６)は大型で、遊技領域１２における上下および左右方向の大部分を占める寸法に設定されるが、該装飾部材１６の左右両外側方には、図示しない打球発射装置から遊技領域１２に打出されたパチンコ球Ｂが流下する流下路が確保してある。そして、遊技領域１２における装飾部材１６の下方に位置する最下部には、前記左右の流下路を流下したパチンコ球Ｂを回収して機裏側に排出するアウト口１８が遊技盤１０に形成されている。また、装飾部材１６の左側に位置する流下路には、普通入賞装置２１や電飾装置２２が配設してある。
【００１６】
前記装飾部材１６の上部側方(実施例では左側)に、図２に示す如く、遊技領域１２に打出されて流下するパチンコ球Ｂを受け入れ可能な受入口２３が開設される。装飾部材１６の内部には、受入口２３から内部に入球したパチンコ球Ｂを、遊技者が多くの賞球を獲得可能な特別遊技発生の契機となる特定入賞口(入球口)２４(図１１参照)への入球率(入賞率)を調整するように機能する第１振分装置２５、第２振分装置２６および第３振分装置２７が配設されている。また、装飾部材１６における上部には、所定の条件に従い各種の発光演出を行なって遊技の興趣を向上させる前記発光演出装置１５が配設されている。なお、装飾部材１６における本体１７の略中央位置には前後に開放する開口部１７ａが開設されて、遊技盤１０の裏側に配設された前記表示演出装置１４における遊技演出を表示する表示面(表示部)が開口部１７ａから前面側に臨むようになっている。前記開口部１７ａに透明板２８が配設されると共に、該透明板２８と表示演出装置１４の表示面との間に第１振分装置２５が配設される。第１振分装置２５における開口部１７ａに臨む各構成部材(後述する円板３３,第１回転振分体３４)は透明な合成樹脂材で形成されて、表示演出装置１４の表示面に表示される表示変動による演出を機前面側から視認し得るよう構成してある。
【００１７】
前記装飾部材１６における発光演出装置１５の配設位置より下方には、図２,図３に示す如く、前記受入口２３から装飾部材内に入球したパチンコ球Ｂを左右方向に転動させるステージ２９が形成されると共に、該ステージ２９の左右方向の中央に対応する位置に、パチンコ球Ｂを裏側に通出案内する案内路３０が形成されている。そして、案内路３０が、後述する取入口４４を介して第１入球部４５に連通するようになっている。
【００１８】
(第１振分装置について)
前記装飾部材１６の開口部１７ａに対応して配設される第１振分装置２５は、図４に示す如く、前後方向に延在する軸線回りに回動自在な回転部材３１を備える。回転部材３１は、開口部１７ａより大径の円環部材３２の内側に、透明でかつ円形平板状の円板３３を固着すると共に、該円板３３の中央前面に円筒状の第１回転振分体(回転体)３４を固着して構成される。回転部材３１は、円板３３と前記透明板２８との間にパチンコ球略一球分の間隔をあけて装飾部材１６に配置され、円板３３と透明板２８との間に第１回転振分体３４が位置している。
【００１９】
図４に示す如く、前記円環部材３２の外周には案内溝３２ａが全周に亘って形成されており、装飾部材１６に回転自在に配設された複数の回転案定部材３５が案内溝３２ａに嵌め込まれて、円環部材３２は、安定した状態で回転し得るように装飾部材１６に支持されている。また円環部材３２は、第１動力伝達機構３６を介して駆動手段としてのモータ３７に連結されており、該モータ３７の駆動により回転部材３１が回転するよう構成される。なお、モータ３７は、回転部材３１を常時一定方向(図２での時計方向)に一定速度で回転するよう制御装置により制御される。但し、モータ３７は、回転部材３１を一定時間毎に正転と逆転とに切換えたり、所定の条件で正転から逆転するよう制御してもよく、また不等速回転するようにしてもよい。
【００２０】
前記第１回転振分体３４の外周部には、周方向に離間して複数(実施例では４つであるが１つあるいは任意の複数に設定可能である)の凹部(収納穴)３４ａが設けられている。各凹部３４ａは、球１個分の深さに設定され、後述する取入口４４から第１入球部４５に通出されたパチンコ球Ｂを凹部３４ａに受け止めて回転案内し得るようになっている。そして、凹部３４ａが第１入球部４５に臨んだ位置において該凹部３４ａに受け止められたパチンコ球Ｂは、第１回転振分体３４の回転によって図２において第１入球部４５から右方に移動されて、後述する第１経路４６に放出されるよう構成される。また、第１回転振分体３４における凹部３４ａ以外の外周面部位が第１入球部４５に到来した際に取入口４４から第１入球部４５に通出されたパチンコ球Ｂは、凹部３４ａに受け止められることなく(逸れて)後述する第２経路４７に通入するよう構成される。すなわち、パチンコ球Ｂが取入口４４から第１入球部４５に到来するタイミングによって、該パチンコ球Ｂは第１回転振分体３４により第１経路４６または第２経路４７に振分けられる。
【００２１】
前記透明板２８には、第１回転振分体３４の外周囲に複数の画成部材(周辺部材)３８,３９,４０,４１,４２および通路部材(周辺部材)４３が配設され(図２,図５参照)、これら画成部材３８,３９,４０,４１,４２および通路部材４３により、第１回転振分体３４の上方に取入口４４および第１入球部(入球部)４５、右方に第１経路４６および左方に第２経路４７が夫々画成される。取入口４４は前記案内路３０に連通し、該案内路３０を流通したパチンコ球Ｂは取入口４４から第１入球部４５に通出されて、第１回転振分体３４の外周に到来(落下)するよう構成される。
【００２２】
前記第１入球部４５は、図５に示す如く、透明板２８の裏側に配設されて上下方向に延在する第１画成部材３８と、該第１画成部材３８の右方(第１回転振分体３４の回転方向前側)に離間して第１回転振分体３４の外周に沿う弧状に延在するよう透明板２８の裏側に配設された第２画成部材３９とで画成されると共に、第１回転振分体３４の外周面が第１入球部４５の下面を構成している。また第２画成部材３９の左端は、第１画成部材３８に対してパチンコ球Ｂを通過可能な寸法で離間して、両画成部材３８,３９間が取入口４４として機能する。更に、第２画成部材３９は、前記第１回転振分体３４の外周面からパチンコ球Ｂの直径より大きく離間して配置され、第２画成部材３９の内周面と第１回転振分体３４の外周面との間でのパチンコ球Ｂの移動が許容される。なお、前記取入口４４は、第１回転振分体３４の回転中心を通る鉛直線より左側に偏倚しており、取入口４４から通出するパチンコ球Ｂが第１回転振分体３４の外周面に当接したときには、該パチンコ球Ｂが前記第２画成部材３９側に移動し難くなっている。
【００２３】
前記第２画成部材３９の配設位置より右方(第１回転振分体３４の回転方向前側)には、第１回転振分体３４の外周に沿う所定長さの弧状に形成された第３画成部材４０が、第１回転振分体３４の外周面に近接して透明板２８の裏側に配設されている。この第３画成部材４０は、内周面と第１回転振分体３４の外周面との間隔がパチンコ球Ｂの直径より短かく設定され、第１回転振分体３４の前記凹部３４ａに受け止められたパチンコ球Ｂが上方から右方に移動する際に該凹部３４ａから脱落するのを防止するよう構成される。透明板２８の裏側には、第３画成部材４０の下端部から第１回転振分体３４の回転方向前側に離間して、第１回転振分体３４の略径方向に所定長さで延在する第４画成部材４１が透明板２８の裏側に配設される。この第４画成部材４１と第３画成部材４０の下端部との間隔は、パチンコ球Ｂの直径より大きく設定されて、凹部３４ａから放出されたパチンコ球Ｂが第４画成部材４１で右方に案内されるようになっている。そして、該第４画成部材４１で案内されたパチンコ球Ｂが、装飾部材１６に設けられた通路１６ａを介して特別遊技発生の契機となる特定入賞口(入球口)２４へパチンコ球Ｂを振分け可能な第３振分装置２７に導かれるよう構成される。すなわち、第３画成部材４０と第４画成部材４１および装飾部材１６の通路１６ａによって、遊技者にとって有利な入球口(特定入賞口２４)に導く第１経路(経路)４６が形成される。
【００２４】
前記透明板２８の裏側には、前記第１回転振分体３４の左側に臨む位置に、所要形状に折曲されて左下方に向けて延在する第５画成部材４２が設けられている。また、透明板２８における第１入球部４５に対応する位置が切欠かれると共に、該切欠部に対応して透明板２８前側に突出する樋状の通路部材４３が、前記第５画成部材４２の右端部まで延設されている。そして、第１入球部４５から前側に転動したパチンコ球Ｂを、該通路部材４３に受け入れて左方に案内し、該通路部材４３の左端に達したパチンコ球Ｂが、第５画成部材４２を介して更に左方に案内されて、装飾部材１６に形成された通路に通入するよう構成される。実施例では、通路部材４３と第５画成部材４２および装飾部材１６の通路から第２経路４７が形成される。なお、第５画成部材４２で案内されたパチンコ球Ｂは、後述するように第３振分装置２７または一般入賞口６２にパチンコ球Ｂを振分け可能な前記第２振分装置２６に導かれるように構成されている。すなわち、第２経路４７を介して第２振分装置２６に導かれたパチンコ球Ｂは、前記特定入賞口２４よりも一般入賞口６２に入球する確率が高く、第２経路４７は、遊技者にとって有利でない入球口(一般入賞口６２)に導く経路である。
【００２５】
(第１板バネについて)
図５〜図７に示す如く、前記第３画成部材４０の上端部(第１入球部４５側の端部)に、弾性部材としての第１板バネ４８が着脱自在に配設されている。第１板バネ４８は、第３画成部材４０の左端部に設けられた受け部４０ａに対して着脱自在に係止される止め部４９と、該止め部４９から第２画成部材３９の内周面に向けて延出する湾曲部５０とから構成される。止め部４９は、前側に開放するコ字状に折曲形成された部分であって、前記受け部４０ａを挟持するように後方から取付けられる。そして、受け部４０ａの内周面に当接する基部４９ａの左端から前記湾曲部５０が延出している。また止め部４９における受け部４０ａの外周面に当接する係止片４９ｂに係合口４９ｃが形成されており、該係合口４９ｃが、受け部４０ａの外周面に突設した係合爪４０ｂに係合することで、当該第１板バネ４８は第３画成部材４０に対して位置決めされるようになっている。
【００２６】
前記第１板バネ４８の湾曲部５０は、図５に示す如く、第１回転振分体３４側に向けて膨出する第１湾曲部位５０ａと、該第１湾曲部位５０ａの端部に連設されて第１回転振分体３４から離間する側に向けて膨出する第２湾曲部位５０ｂとから構成され、第２湾曲部位５０ｂの外面が前記第２画成部材３９の内周面に接触するようになっている。なお、第１湾曲部位５０ａの外方には、第２画成部材３９との間に空間が画成されており、後述するように第１湾曲部位５０ａの内面側(第１回転振分体３４に臨む側)にパチンコ球Ｂが当接した際には、該第１湾曲部位５０ａの第１回転振分体３４から離間する方向への弾性変形が許容される(図７参照)。
【００２７】
(第２振分装置について)
前記第２振分装置２６は、図２に示すように、第１振分装置２５の左斜め下方位置において前後方向に延在する水平軸線回りに回転自在に配設された円盤状の第２回転振分体５１を備える。第２回転振分体５１には、外周の１箇所に、パチンコ球Ｂを受め止め可能な凹部５１ａが設けられている。また第２回転振分体５１には、図４に示すように回転軸５１ｂが連結されており、第２回転振分体５１は、回転軸５１ｂに配設される第２動力伝達機構５２を介して前記第１振分装置２５の円環部材３２に連繋されて、該円環部材３２の回転によって第２動力伝達機構５２を介して第２回転振分体５１が回転するよう構成される。すなわち、前記モータ３７を駆動することで、第１振分装置２５の第１回転振分体３４と、第２振分装置２６の第２回転振分体５１とが回転するよう構成されている。なお、第２回転振分体５１は、第１回転振分体３４と同一方向に回転するように設定してある。
【００２８】
前記装飾部材１６に位置する第２経路４７の途中には、図２または図３に示すように、パチンコ球Ｂを受け入れる転動面を有する受皿５３と、該受皿５３の下方に位置し、受皿５３の中央に形成された排出口(図示せず)から落下したパチンコ球Ｂを受け入れる円弧状の転動面を有する受入棚５４とが配設されている。そして、受入棚５４に形成された球出口５４ａの下方に前記第２回転振分体５１が配置されており、該球出口５４ａから第２回転振分体５１に向かってパチンコ球Ｂが落下するよう構成される。なお、受皿５３へと導かれたパチンコ球Ｂは、受皿５３の転動面を周回して排出口から落下し、また受入棚５４の転動面に導かれたパチンコ球Ｂは、左右方向に何度も揺動して転動の勢いがなくなる(減衰する)と球出口５４ａから落下するようになっており、この構成により第２回転振分体５１へのパチンコ球Ｂの誘導タイミングが一定のものとならず、多様なタイミングとなるようにしてある。
【００２９】
前記装飾部材１６には、第２回転振分体５１の外周囲に複数の画成部材５５,５６,５７,６１が配設され(図８参照)、これら画成部材５５,５６,５７,６１により、前記球出口５４ａと第２回転振分体５１との間に第２入球部５８が画成されると共に、右方に第３経路５９および左方に第４経路６０が夫々画成される。
【００３０】
前記第２入球部５８は、図８に示す如く、前記受入棚５４から前方に延出して第２回転振分体５１の右上方において左右方向に延在する第６画成部材５５と、第２回転振分体５１の左上方において斜め方向に延在する第７画成部材５６とで画成されると共に、第２回転振分体５１の外周面が第２入球部５８の下面を構成している。そして、第６画成部材５５と第７画成部材５６との間の上方に、前記球出口５４ａが位置している。なお、球出口５４ａは、第２回転振分体５１の回転中心を通る鉛直線の左側に偏倚しており、球出口５４ａからのパチンコ球Ｂが第２回転振分体５１の凹部５１ａ以外の外周面上に落下した場合は、該パチンコ球Ｂは凹部５１ａに受け止められることなく(逸れて)外周面に沿って左方に移動するよう構成される。
【００３１】
前記第６画成部材５５の下方に第８画成部材５７が配設され、両画成部材５５,５７の間に、第２回転振分体５１で振分けられたパチンコ球Ｂが通入可能な第３経路５９が画成されている。なお、第３経路５９は、装飾部材１６に設けられて前記第１経路４６の一部を画成する通路画成部材６１によって右方に延在して第１経路４６に合流するよう構成される。また、前記第７画成部材５６に、第２回転振分体５１で振分けられたパチンコ球Ｂが通入可能な第４経路６０が画成され、該第４経路６０は一般入賞口(入球口)６２に連通している。そして、前記受入棚５４の球出口５４ａから第２入球部５８に通出したパチンコ球Ｂが第２回転振分体５１の凹部５１ａに受け止められた場合は、該パチンコ球Ｂは第２回転振分体５１の回転によって前記第３経路５９に導かれ、第１経路４６に流入して第３振分装置２７に誘導されるようになっている。これに対し、受入棚５４の球出口５４ａから第２入球部５８に通出したパチンコ球Ｂが第２回転振分体５１の凹部５１ａ以外の外周面上に落下した場合は、該球出口５４ａが第２回転振分体５１の真上から左側(第４経路６０側)に偏倚していることから、該パチンコ球Ｂは外周面に沿って左方に移動して第４経路６０に導かれ、該第４経路６０から一般入賞口６２に入球するよう構成される。すなわち、パチンコ球Ｂが球出口５４ａから第２入球部５８に通出するタイミングによって、該パチンコ球Ｂは第２回転振分体５１により第３経路５９または第４経路６０に振分けられる。
【００３２】
前記装飾部材１６には、前記一般入賞口６２にパチンコ球Ｂが入球したことを検知する普通入球スイッチ(図示せず)が配設されており、該普通入球スイッチの球検知に基づいて前記制御装置は、所定個数のパチンコ球Ｂを賞球として払出すよう球払出装置を制御するようになっている。すなわち、パチンコ球Ｂが第４経路６０に通入した場合は、前記特定入賞口２４に入球する可能性はなく、該第４経路６０が、遊技者にとって有利でない入球口(一般入賞口６２)に導く経路となる。これに対し、前記第３経路５９は第１経路４６に連通しており、該第３経路５９にパチンコ球Ｂが通入した場合は、前記第３振分装置２７によって特定入賞口２４に入球する可能性があり、第３経路５９が、遊技者にとって有利な入球口(特定入賞口２４)に導く経路となる。
【００３３】
(第２板バネについて)
図８〜図１０に示す如く、前記第６画成部材５５には、第２回転振分体５１の右上方に臨む弾性部材としての第２板バネ６３が着脱自在に配設されている。第２板バネ６３は、第６画成部材５５に設けられた受け部５５ａに対して着脱自在に係止される止め部６３ａと、該止め部６３ａから第２回転振分体５１の右上方に向けて延出する湾曲部６３ｂとから構成される。止め部６３ａは、左側に開放するコ字状に折曲形成された部分であって、前記受け部５５ａを挟持するように右方から取付けられる。そして、止め部６３ａにおける受け部５５ａの下面に当接する部位から前記湾曲部６３ｂが延出している。なお、受け部５５ａの右側には、装飾部材１６に着脱自在に配設された装飾品６４の規制片６４ａが臨み、該規制片６４ａにより第２板バネ６３の受け部５５ａに対する位置決めと脱落防止とが図られている。また、第２板バネ６３は、装飾品６４を装飾部材１６から取外して受け部５５ａの右側を開放することで、該受け部５５ａに対して着脱される。
【００３４】
前記第２板バネ６３の湾曲部６３ｂは、図１０に示す如く、第２回転振分体５１側に向けて膨出し、該湾曲部６３ｂの先端は、第２回転振分体５１の回転中心を通る鉛直線より右側に臨むよう設定してある。すなわち、第２板バネ６３の湾曲部６３ｂは、前記第２入球部５８に対して第２回転振分体５１の回転方向前側に臨み、該第２回転振分体５１の外周面に当接するパチンコ球Ｂが、該湾曲部６３ｂの内面側(第２回転振分体５１に臨む側)に当接可能に構成されている。なお、湾曲部６３ｂの外方(上方)には空間が画成されており、後述するように湾曲部６３ｂの内面側にパチンコ球Ｂが当接した際には、該湾曲部６３ｂの第２回転振分体５１から離間する方向への弾性変形が許容される。
【００３５】
(第３振分装置について)
前記装飾部材１６には、前記第１振分装置２５の略真下で、前記第２振分装置２６の斜め右下方の位置に、前記第３振分装置２７が配設されている。第３振分装置２７は、図１１に示す如く、底板６５に、上下に貫通する開口部６５ａが形成されて、該開口部６５ａ内に第３回転振分体(回転体)６６が上下方向の軸を中心として回転自在に臨んでいる。第３回転振分体６６における開口部６５ａの下側に延出する外周面に歯部６６ａが形成され、第３回転振分体６６は、歯部６６ａに噛合する第３動力伝達機構６７を介して前記第１動力伝達機構３６に連繋されている(図４参照)。そして、第１動力伝達機構３６により円環部材３２が回転した際に、第３動力伝達機構６７を介して第３回転振分体６６が回転するよう構成される。すなわち、前記モータ３７を駆動することで、第１〜第３振分装置２５,２６,２７の各回転振分体３４,５１,６６が同期して回転するようになっている。なお、第３回転振分体６６は、図１１に示す平面視において時計方向に回転する。
【００３６】
前記第３回転振分体６６の上面中央部に、上方に突出する突部６８が設けられると共に、該突部６８には、径方向外方に開口するよう凹設された球受部６９,７０,７１が、周方向に離間して複数設けられている。これら球受部６９,７０,７１は、径方向外方からパチンコ球Ｂを受容可能で、機能が異なる３種類が設定されている。すなわち、第１球受部６９は、その底面に通孔６９ａが形成されて、該第１球受部６９に受容されたパチンコ球Ｂは、通孔６９ａを介して第３回転振分体６６から落下可能に構成される。また第２球受部７０および第３球受部７１は、底面高さが異なるように設定され、第２球受部７０の底面高さが、第３球受部７１の底面高さより高く設定されている(図１４参照)。実施例では、第１球受部６９が１つで、第２球受部７０および第３球受部７１が各２つの合計５つの球受部が第３回転振分体６６に設けてある。そして、これらの球受部は、図１１に示すように、第１球受部６９を基準として、第３回転振分体６６の回転方向後側(上流側)に、第２球受部７０、第３球受部７１、第２球受部７０および第３球受部７１の順で配置してある。なお、第３球受部７１の底面高さは、前記底板６５の上面と略同一に設定されると共に、第２および第３球受部７０,７１の底面は、夫々径方向外方に向けて下方傾斜している。
【００３７】
前記底板６５には、前記開口部６５ａの周縁において上方に立上がる外周壁７２が設けられ、該外周壁７２によって第３回転振分体６６が回転する回転領域７３が画成されるようになっている。外周壁７２は、図１１に示す如く、回転領域７３の後側から右側を経て第３回転振分体６６の前側に臨む周縁に沿って後述の規制部７９が形成される位置までに亘り第３回転振分体６６を囲うように形成される。そして、回転領域７３の右側に位置する後述の通入口７５ａから回転領域７３に通入して各球受部６９,７０,７１に受容されたパチンコ球Ｂを、該球受部６９,７０,７１から径方向外方に放出されることなく案内するべく機能する。また外周壁７２の高さは、底面高さが最も高い第２球受部７０の底面を正面側(遊技者)から視認困難とする寸法に設定されている。なお、底板６５の前端縁には、前面に所要の装飾が施された前壁７４が、前記外周壁７２の前側に臨むように形成されており、該前壁７４によっても各球受部６９,７０,７１の底面が正面側(遊技者)から視認困難となっている。
【００３８】
前記第３振分装置２７の後方上部に、前記第１経路４６の通出口４６ａが右方に向けて開口している。また通出口４６ａの右下側には、前方に所定長さで延在する案内通路７５が形成されており、通出口４６ａから通出されたパチンコ球Ｂは、該案内通路７５を介して前方に案内された後に、案内通路７５の前左側部に形成された通入口７５ａを介して前記回転領域７３に対して右方から通入されるよう構成される(図１５参照)。
【００３９】
前記第３回転振分体６６の下方には、前記案内通路７５の通入口７５ａから第３回転振分体６６の回転方向前側(下流側)に所定長さで支持面７６が設けられ、前記通入口７５ａから回転領域７３に通入したパチンコ球Ｂが第１球受部６９に受容されたときには、通孔６９ａに入っているパチンコ球Ｂを支持面７６で下側から支持して該通孔６９ａから落下することなく下流側に移送可能に構成される。また、支持面７６の下流側端の下方に、特定入賞口(特定の入賞口)２４が開設され、支持面７６で支持されなくなったパチンコ球Ｂが、通孔６９ａから落下して特定入賞口２４に入球し得るよう構成される。
【００４０】
前記装飾部材１６には、前記特定入賞口２４にパチンコ球Ｂが入球したことを検知する特定入球スイッチ７７が配設されており、該特定入球スイッチ７７の球検知に基づいて前記制御装置は特別遊技状態を発生して、遊技者に報奨としての多数の賞球を獲得するチャンスを付与するよう設定されている。なお、特定入賞口２４は、第３回転振分体６６の中央正面に位置すると共に、該特定入賞口２４の前側に位置する装飾品には、特定入賞口２４の存在を示すＶ字マーク７８が表示されている(図１２参照)。また、前記第１球受部６９は、特定入賞口２４へパチンコ球Ｂを入球させる球受部であることから、該第１球受部６９の位置に対応する突部上面にもＶ字マーク７８が表示されている(図１１参照)。
【００４１】
前記外周壁７２は、前記特定入賞口２４の形成位置よりも第３回転振分体６６の回転方向前側(下流側)で切欠かれており、該外周壁７２の左端部に、第３回転振分体６６の回転中心を指向する側が開口する略ドーム状に形成された規制部７９が設けられている(図１３参照)。この規制部７９の内底面に第１入賞口８０が形成されており、該第１入賞口８０には、前記回転領域７３から放出されたパチンコ球Ｂが、規制部７９の開口を介して入球可能に構成される。規制部７９における開口上縁高さは、図１４に示す如く、前記第３球受部７１に受容されているパチンコ球Ｂの通入は許容するが、第２球受部７０に受容されているパチンコ球Ｂの通入は規制する寸法に設定されている。言い替えれば、規制部７９の開口上縁高さに応じて、前記第２球受部７０および第３球受部７１の底面高さが設定されており、実施例では第２球受部７０の底面高さが、受容したパチンコ球Ｂを規制部７９で規制されて第１入賞口８０に入球しない高さレベルに支持するよう設定されると共に、第３球受部７１の底面高さが、受容したパチンコ球Ｂを規制部７９で規制されることなく第１入賞口８０に入球可能な高さレベルに支持するよう設定される。また装飾部材１６には、前記第１入賞口８０にパチンコ球Ｂが入球したことを検知する第１入球スイッチ８１(図１２参照)が配設されており、該第１入球スイッチ８１の球検知に基づいて前記制御装置は、所定個数のパチンコ球Ｂを賞球(報奨)として払出すよう球払出装置を制御するようになっている。
【００４２】
図１１に示す如く、前記規制部７９に対して第３回転振分体６６の回転方向前側(下流側)には外周壁７２が形成されておらず、該外周壁７２が形成されていない部分に対応する底板６５に、第２入賞口８２が形成されている。すなわち、パチンコ球Ｂを受容している第２球受部７０が規制部７９を通過したときには、該第２球受部７０(回転領域７３)から径方向外方に放出されたパチンコ球Ｂが第２入賞口８２に入球可能に構成される。また装飾部材１６には、前記第２入賞口８２にパチンコ球Ｂが入球したことを検知する第２入球スイッチ８３(図１１参照)が配設されており、該第２入球スイッチ８３の球検知に基づいて前記制御装置は、所定個数のパチンコ球Ｂを賞球(報奨)として払出すよう球払出装置を制御するようになっている。なお、第１入賞口８０に入球した場合と、第２入賞口８２に入球した場合とでは、遊技者に払出される賞球数が異なるよう設定されている。すなわち、前記第２球受部７０および第３球受部７１の底面高さは、受容されているパチンコ球Ｂが前記規制部７９で入球規制されるものと入球規制されないものとに設定されており、該第２球受部７０および第３球受部７１の底面高さは、入球による賞球数が異なる入賞口８０,８２に対応している。また、実施例では、第２入賞口８２への入球により払出される賞球数が、第１入賞口８０への入球により払出される賞球数より多く設定してある。すなわち、第３回転振分体６６の回転方向下流側に位置する入賞口の方を、賞球数が多くなるよう設定することで、第３回転振分体６６の回転により移動されるパチンコ球Ｂの行方に対する関心を長く引き付け得るようにしてある。
【００４３】
前記装飾部材１６には、受入口２３、第１経路４６、第２経路４７、第３経路５９等を通過するパチンコ球Ｂを検知する複数の検知スイッチ(何れも図示せず)が設けられ、各検知スイッチが接続される前記制御装置は、検知スイッチによるパチンコ球Ｂの検知を条件として前記表示演出装置１４で表示演出を行なわせると共に発光演出装置１５で発光演出を行なわせ、遊技者の興趣を向上させるようになっている。また、各入賞口２４,６２,８０,８２に入球したことを検知する各スイッチ７７,８１,８３によるパチンコ球Ｂの検知を条件としても、制御装置が前記表示演出装置１４や発光演出装置１５で演出を行なわせ、遊技者の興趣を向上させるようにしてある。
【００４４】
前記装飾部材１６の右側部には、図１〜図３に示す如く、入賞口を開閉する複数(実施例では４つ)の電動式の可変入賞装置８４が上下(縦方向)に離間して配設されている。各可変入賞装置８４は、開放してからの経過時間が予め設定された時間になるか、パチンコ球Ｂの入球数(入賞数)が予め設定された個数に達するかの何れかの終了条件が成立したときに、対応する入賞口を閉成するよう設定されている。そして、各可変入賞装置８４は、前記特定入賞口２４にパチンコ球Ｂが入球することを契機として特定遊技が発生したときに、前記制御装置により所定のパターンで開閉制御されて、遊技者が多数の賞球を獲得し得るチャンスを付与し得るよう設定されている。
【００４５】
〔実施例の作用〕
次に、前述した実施例に係るパチンコ機の作用につき説明する。
【００４６】
前記遊技盤１０の遊技領域１２に打出されたパチンコ球Ｂが、前記受入口２３に入球すると、該パチンコ球Ｂはステージ２９を左右方向に転動し、その勢いが弱くなったときに、前記案内路３０から第１振分装置２５の取入口４４に至る。そして、パチンコ球Ｂは取入口４４から第１入球部４５に通出されて、第１回転振分体３４の外周に落下する。
【００４７】
前記第１振分装置２５では、前記第１回転振分体３４が常に一定方向に回転しているから、該第１回転振分体３４の凹部３４ａが第１入球部４５に臨んだときにパチンコ球Ｂが該第１入球部４５に通出された場合は、パチンコ球Ｂは凹部３４ａに受け止められた状態で、第１回転振分体３４の回転に伴って右下方に移動する。そして、このパチンコ球Ｂは、前記第１経路４６に放出された後、前記第３振分装置２７に導かれる。
【００４８】
また、前記取入口４４から第１入球部４５にパチンコ球Ｂが通出されたときに、第１回転振分体３４の凹部３４ａ以外の外周面が第１入球部４５に臨んでいる場合は、取入口４４が左側に偏倚していることから、該パチンコ球Ｂは第１回転振分体３４の外周面に沿って左方に移動した後に通路部材４３および第５画成部材４２で画成される前記第２経路４７に通入する。
【００４９】
ここで、前記第１入球部４５にパチンコ球Ｂが通出されるタイミングによっては、前記第１回転振分体３４の凹部３４ａにおける回転方向後側の側縁と前記第１板バネ４８との間にパチンコ球Ｂが挟まれることがある。しかるに、第１板バネ４８は、図７に示す如く、第１回転振分体３４における凹部３４ａの側縁で押されるパチンコ球Ｂによって第１回転振分体３４から離間する方向に弾性変形し、該パチンコ球Ｂの移動を許容する。すなわち、第１回転振分体３４における凹部３４ａの側縁との間でパチンコ球Ｂを挟むおそれのある部材を、弾性変形可能な第１板バネ４８としたことで、パチンコ球Ｂが噛み込まれて第１回転振分体３４が異常停止するのを防止することができる。
【００５０】
また、前記第１板バネ４８は、パチンコ機の設置姿勢の違いによってパチンコ球Ｂの当接位置が異なる場合であっても、その当該位置に応じて弾性変形して、該パチンコ球Ｂの噛み込みを防止し得る。すなわち、各パチンコ機毎に第１板バネ４８の取付け状態を変える必要はなく、汎用性が高い。しかも、第１回転振分体３４を逆転するよう制御して球噛みを解消するものではないから、制御回路の負担を増加することなく、確実な球噛み防止を図り得る。更には、第１回転振分体３４の凹部３４ａに加工を施すものでもないから、該凹部３４ａにパチンコ球Ｂが受け止められる確率を計設者の意図した確率とするために、別の調節手段を設ける必要もない。
【００５１】
図７に示すように、前記パチンコ球Ｂによって弾性変形した第１板バネ４８に生じた弾性力は、パチンコ球Ｂを凹部３４ａに押し込んだり、あるいは凹部３４ａ外に押し出すように作用し、パチンコ球Ｂの動きに変化を与えて遊技の興趣を向上し得る。すなわち、遊技者は、前記特定入賞口２４への入球の可能性のある第１経路４６へ導くための凹部３４ａにパチンコ球Ｂが入ることを願って遊技を行なっているので、第１板バネ４８の弾性力によって変化するパチンコ球Ｂの動きに遊技者の関心を引き付けることができる。また、球噛みを防止する第１板バネ４８は構成が簡単で、かつネジ等の固定部材を用いることなく第３画成部材４０に取付けているから、組付け工程が簡単になると共にコストが上昇するのも抑制し得る。
【００５２】
前記第２経路４７を通過したパチンコ球Ｂは前記受皿５３へと導かれ、該パチンコ球Ｂは受皿５３の転動面を周回して排出口から前記受入棚５４の転動面に落下する。このパチンコ球Ｂは、転動面を転動する勢いがなくなると球出口５４ａから第２入球部５８に通出し、第２振分装置２６における第２回転振分体５１の外周に至る。すなわち、第２回転振分体５１へのパチンコ球Ｂの誘導タイミングが一定のものとならず、多様なタイミングとなることで、遊技者の興趣を高めることができる。
【００５３】
前記第２回転振分体５１は常に一定方向に回転しており、該第２回転振分体５１の凹部５１ａが上方に臨んだときにパチンコ球Ｂが球出口５４ａから第２入球部５８に通出された場合は、該パチンコ球Ｂは凹部５１ａに受け止められた状態で、第２回転振分体５１の回転に伴って右方に案内されて、前記第３経路５９および第１経路４６を介して第３振分装置２７に導かれる。なお、球出口５４ａから第２入球部５８にパチンコ球Ｂが通出されたときに、第２回転振分体５１の凹部５１ａ以外の外周面が上側に臨んでいる場合は、球出口５４ａが左側に偏倚していることから、該パチンコ球Ｂは第２回転振分体５１の外周面に沿って左方に移動し、第４経路６０を介して一般入賞口６２に入球する。一般入賞口６２にパチンコ球Ｂが入球した場合は、前記制御装置の制御下に球払出装置が作動して、所定個数のパチンコ球Ｂが賞球として払出される。
【００５４】
前記第２振分装置２６においても、前記第２入球部５８にパチンコ球Ｂが通出されるタイミングによっては、前記第２回転振分体５１の凹部５１ａにおける回転方向後側の側縁と前記第２板バネ６３との間にパチンコ球Ｂが挟まれることがある。しかるに、第２板バネ６３は、図１０に示す如く、第２回転振分体５１における凹部５１ａの側縁で押されるパチンコ球Ｂによって第２回転振分体５１から離間する方向に弾性変形し、該パチンコ球Ｂの移動を許容する。すなわち、第２回転振分体５１における凹部５１ａの側縁との間でパチンコ球Ｂを挟むおそれのある部材を、弾性変形可能な第２板バネ６３としたことで、パチンコ球Ｂが噛み込まれて第２回転振分体５１が異常停止するのを防止することができる。また、第２振分装置２６においても、前記段落〔００５０〕,〔００５１〕で述べた第１振分装置２５の第１板バネ４８による作用効果と同じ作用効果を奏する。
【００５５】
前記第１振分装置２５から直接第１経路４６に導かれたパチンコ球Ｂまたは第２振分装置２６から第３経路５９を介して第１経路４６に導かれたパチンコ球Ｂは、該第１経路４６の通出口４６ａから案内通路７５に通出され、該案内通路７５を前側に流下する。そして、パチンコ球Ｂは、図１５に示す如く、案内通路７５の前左側部に形成された通入口７５ａを介して前記第３振分装置２７の回転領域７３に対して右方から通入される。
【００５６】
前記第３回転振分体６６は常に一定方向に回転しており、該第３回転振分体６６の第１球受部６９が通入口７５ａに臨んだときにパチンコ球Ｂが該通入口７５ａから回転領域７３に通入した場合は、該パチンコ球Ｂが第１球受部６９に受容される。なお、第１球受部６９には底面に通孔６９ａが形成されているが、第３回転振分体６６の下方には支持面７６が位置しているから、該通孔６９ａに入っているパチンコ球Ｂは通孔６９ａから落下することなく第３回転振分体６６の回転に伴って正面側(左側)に移動される。そして、第１球受部６９(通孔６９ａ)が支持面７６のない位置まで移動すると、該第１球受部６９に受容されているパチンコ球Ｂは通孔６９ａから落下し、前記特定入賞口２４に入球する(図１５(ａ)参照)。前記特定入球スイッチ７７がパチンコ球Ｂを検知すると、該球検知に基づいて前記制御装置は特別遊技状態を発生する。すなわち、前記複数の可変入賞装置８４が所定のパターンで開閉制御され、遊技者に多数の賞球を獲得するチャンスが付与される。
【００５７】
前記第３回転振分体６６の第２球受部７０が通入口７５ａに臨んだときにパチンコ球Ｂが該通入口７５ａから回転領域７３に通入した場合は、該パチンコ球Ｂが第２球受部７０に受容された状態で、第３回転振分体６６の回転に伴って正面側(左側)に移動される。なお、第２球受部７０の底面には通孔は形成されていないから、該第２球受部７０に受容されているパチンコ球Ｂは前記特定入賞口２４の形成位置を通過して前記規制部７９の開口に臨む位置まで移動する。しかるに、図１４(ａ)に示す如く、規制部７９における開口上縁高さは第２球受部７０に受容されているパチンコ球Ｂの通入を規制する寸法に設定されているから、該パチンコ球Ｂは規制部７９に通入することなく、第３回転振分体６６の回転に伴って更に下流側(左後方)まで移動する。そして、第２球受部７０が規制部７９を通過して外周壁７２のない位置に到来すると、該第２球受部７０に受容されていたパチンコ球Ｂは径方向外方に放出されて底板６５の上面を転動して、前記第２入賞口８２に入球する(図１５(ｂ)参照)。第２入賞口８２にパチンコ球Ｂが入球したことを第２入球スイッチ８３が検知したことに基づいて、前記制御装置の制御下に球払出装置が作動して、所定個数のパチンコ球Ｂが賞球として払出される。
【００５８】
前記第３回転振分体６６の第３球受部７１が通入口７５ａに臨んだときにパチンコ球Ｂが該通入口７５ａから回転領域７３に通入した場合は、該パチンコ球Ｂが第３球受部７１に受容された状態で、第３回転振分体６６の回転に伴って正面側(左側)に移動される。なお、第３球受部７１の底面にも通孔は形成されていないから、該第３球受部７１に受容されているパチンコ球Ｂは前記特定入賞口２４の形成位置を通過して前記規制部７９の開口に臨む位置まで移動する。図１４(ｂ)に示す如く、規制部７９における開口上縁高さは、第３球受部７１に受容されているパチンコ球Ｂの通入を許容する寸法に設定されているから、該パチンコ球Ｂは規制部７９に通入し、前記第１入賞口８０に入球する(図１５(ｃ)参照)。そして、第１入賞口８０にパチンコ球Ｂが入球したことを第１入球スイッチ８１が検知したことに基づいて、前記制御装置の制御下に球払出装置が作動して、所定個数のパチンコ球Ｂが賞球として払出される。
【００５９】
実施例の第３振分装置２７によれば、前記通入口７５ａを基準として第３回転振分体６６の回転方向下流側に順に、特定入賞口２４、第１入賞口８０および第２入賞口８２を設けたから、遊技者は、第３回転振分体６６の球受部に通入口７５ａで受容されたパチンコ球Ｂが、第１入賞口８０(規制部７９の位置)まで移動する前に第３回転振分体６６から落下することに期待して遊技を行なうことができる。
【００６０】
また、特定入賞口２４より下流側に位置する第１入賞口８０および第２入賞口８２では、入球したときに払出される賞球数が異なり、かつ下流側の第２入賞口８２の方が賞球数が多く設定されているから、遊技者は、球受部に受容されているパチンコ球Ｂが特定入賞口２４の位置を通過したとしても、パチンコ球Ｂが第１入賞口８０に入球することなく第２入賞口８２に入球する位置まで移動することを期待して遊技を行ない得る。すなわち、第３回転振分体６６で移動されるパチンコ球Ｂが特定入賞口２４の位置を通過した以後のパチンコ球Ｂの行方に関心を向けさせることができ、遊技の興趣を向上し得る。
【００６１】
前記外壁部７２により各球受部６９,７０,７１の底面が正面から視認困難となっているから、回転領域７３に通入したパチンコ球Ｂがどの入賞口２４,８０,８２に対応する球受部６９,７０,７１に受容されたか分かり難く、パチンコ球Ｂの動きに対する関心を持続させ得る。しかも、前記規制部７９によってパチンコ球Ｂが入球する入賞口８０,８２が分かれるようになっているから、第３回転振分体６６の球受部７０,７１にパチンコ球Ｂが受容された時点では賞球数の異なるどの入賞口８０,８２に入球するかは分かり難く、第３回転振分体６６によるパチンコ球Ｂの振分けに期待感や関心を引き付けて面白みを持続させることができる。なお、規制部７９は、第３回転振分体６６を指向して開口するドーム状としたことで、第３回転振分体６６の回転に伴って側方からパチンコ球Ｂが到来しても、意図しない球受部(第２球受部７０)に受容されているパチンコ球Ｂの第１入賞口８０への入球を確実に規制し得る。
【００６２】
(別実施例)
図１６および図１７は、第３振分装置の別実施例を示すものであって、既出の同一部材等には同じ符号を付すと共に詳細説明は省略する。別実施例の第３振分装置８５では、底板６５に形成した開口部６５ａにおける前側に位置する外周壁７２の右端側に、前記第１経路４６によって導かれたパチンコ球Ｂを回転領域７３に通入するための通入口７５ａが形成された案内通路７５が設けられている。また、外周壁７２を挟んで通入口７５ａとは反対側から第３回転振分体６６の回転方向下流側の通入口７５ａまでの領域に、複数(別実施例では５つであるが３つ以上であればよい)の入賞口８６,８７,８８,８９,９０が底板６５に形成されて、回転領域７３から放出されたパチンコ球Ｂが入球可能に構成されている。
【００６３】
そして、通入口７５ａを基準とする第３回転振分体６６の回転方向の最下流側に位置する入賞口は、遊技者に有利となる特定遊技状態が発生する特定入賞口８６として設定される。また、その他の入賞口については、入球に基づき所定数の賞球が払出される普通入賞口８７,８８,８９,９０として設定されている。なお、別実施例においては、４つの普通入賞口について、上流側から下流側に順に、第１普通入賞口８７、第２普通入賞口８８、第３普通入賞口８９および第４普通入賞口９０と指称する。そして、各普通入賞口８７,８８,８９,９０への入球に基づく賞球数は、第１普通入賞口８７＜第２普通入賞口８８＜第３普通入賞口８９＜第４普通入賞口９０の関係に設定してある。
【００６４】
各普通入賞口８７,８８,８９,９０には、開口上縁高さが異なる規制部９１,９２,９３,９４が対応して設けられており、これら規制部についても、普通入賞口と対応して上流側から下流側に順に、第１規制部９１、第２規制部９２、第３規制部９３および第４規制部９４と指称する。なお、規制部の基本的な構成は、実施例と同じであって、第３回転振分体６６の回転中心を指向する側が開口する略ドーム状に形成されて、前記回転領域７３から放出されたパチンコ球Ｂが、規制部９１,９２,９３,９４の開口を介して対応する普通入賞口８７,８８,８９,９０に入球可能に構成されている。
【００６５】
前記第３回転振分体６６には、各入賞口８６,８７,８８,８９,９０に対応する球受部９５,９６,９７,９８,９９が形成されており、これら球受部についても、入賞口と対応して特定球受部９５、第１球受部９６、第２球受部９７、第３球受部９８および第４球受部９９と指称する。そして、５つの球受部９５,９６,９７,９８,９９は、底面高さが夫々異なると共に、最も底面高さが低い球受部を基準として、第３回転振分体６６の回転方向に順に底面高さが高くなるよう設定されている(図１７での矢印の方向が回転方向)。すなわち、別実施例では第１球受部９６の底面高さが最も低く設定され、第２球受部９７、第３球受部９８、第４球受部９９および特定球受部９５の順で底面高さが高くなるよう設定してある。
【００６６】
また前記第１球受部９６、第２球受部９７、第３球受部９８および第４球受部９９の各底面高さは、前記第１規制部９１、第２規制部９２、第３規制部９３および第４規制部９４の開口上縁高さに対応するよう設定されている。すなわち、図１７に示す如く、第１球受部９６は、受容されているパチンコ球Ｂを、第１規制部９１で規制されることなく通入可能な高さレベルに支持するよう設定される。また第２球受部９７は、受容されているパチンコ球Ｂを、第２規制部９２で規制されることなく通入可能で、かつ第１規制部９１では通入が規制される高さレベルに支持するよう設定される。また第３球受部９８は、受容されているパチンコ球Ｂを、第３規制部９３で規制されることなく通入可能で、かつ第１規制部９１および第２規制部９２では通入が規制される高さレベルに支持するよう設定される。更に、第４球受部９９は、受容されているパチンコ球Ｂを、第４規制部９４で規制されることなく通入可能で、かつ第１規制部９１、第２規制部９２および第３規制部９３では通入が規制される高さレベルに支持するよう設定される。言い替えるなら、各規制部については、対応する球受部に受容されているパチンコ球Ｂの通入は許容するが、それより高い底面高さの球受部に受容されているパチンコ球Ｂの通入は規制するよう設定されている。
【００６７】
別実施例における第３振分装置８５においては、前記モータ３７によって一定方向(図１６の時計方向)に回転している第３回転振分体６６の回転領域７３に対し、通入口７５ａを介して右方からパチンコ球Ｂが通入することで、該パチンコ球Ｂは、５種類の球受部９５,９６,９７,９８,９９の何れかに受容されて、前記５つの入賞口８６,８７,８８,８９,９０の何れかに振分けられて入球される。すなわち、パチンコ球Ｂが第１球受部９６に受容された場合は、該第１球受部９６が第３回転振分体６６の回転に伴って外周壁７２に沿って左方に移動し、第１規制部９１の開口に臨む位置に到来したときにパチンコ球Ｂが該第１規制部９１の開口に通入し、対応する第１普通入賞口８７に入球する。これに対してパチンコ球Ｂが第２球受部９７に受容された場合は、第３回転振分体６６の回転に伴って移動する第２球受部９７が第１規制部９１の開口に臨む位置に到来しても、該第１規制部９１によってパチンコ球Ｂの通入は規制されて、第１規制部９１の位置を通過する。そして、第２球受部９７が第２規制部９２の開口に臨む位置に到来したときに、パチンコ球Ｂが該第２規制部９２の開口に通入し、対応する第２普通入賞口８８に入球する。また、パチンコ球Ｂが第３球受部９８または第４球受部９９に受容された場合は、第２球受部９７の場合と同様に、対応する第３規制部９３または第４規制部９４の位置まではパチンコ球Ｂを受容したまま移動し、対応する第３規制部９３または第４規制部９４の開口に臨む位置に到来したときに、パチンコ球Ｂが第３規制部９３または第４規制部９４の開口に通入し、対応する第３普通入賞口８９または第４普通入賞口９０に入球する。なお、各普通入賞口８７,８８,８９,９０にパチンコ球Ｂが入球したときには、予め設定された対応の数の賞球が払出される。
【００６８】
前記パチンコ球Ｂが前記特定球受部９５に受容された場合は、第３回転振分体６６の回転に伴って移動する特定球受部９５からは、全ての規制部９１,９２,９３,９４の位置を通過するまでパチンコ球Ｂは放出されず、対応する特定入賞口８６に臨む位置に到来した際にパチンコ球Ｂが放出される。そして、特定入賞口８６にパチンコ球Ｂが入球した場合は特別遊技状態が発生し、遊技者に多数の賞球を獲得するチャンスが付与される。
【００６９】
別実施例の第３振分装置８５では、通入口７５ａを基準として第３回転振分体６６の回転方向の最下流側に特定入賞口８６を設けたから、遊技者は、通入口７５ａから回転領域７３に通入して球受部に受容されたパチンコ球Ｂが、最後まで他の入賞口に入らないことを期待して遊技を行なうことができる。すなわち、球受部に受容されているパチンコ球Ｂが規制部に到来する毎に、通入するか否かに遊技者の関心を引き付けることができ、遊技の興趣を向上し得る。
【００７０】
(変更例)
本願は前述した実施例や別実施例の構成に限定されるものではなく、その他の構成を適宜に採用することができる。
(1) 実施例では、弾性部材として板バネを用いた場合で説明したが、弾性変形可能なものであれば、ゴムあるいは合成樹脂等を材質とするものであってもよい。
(2) 実施例では、板バネの一端を画成部材(周辺部材)に取付けるようにしたが、板バネの両端を画成部材に夫々取付け、その中間部にパチンコ球が当接した際に弾性変形が可能に構成されていればよい。
(3) 実施例では、板バネを第２画成部材または第６画成部材に取付けるようにしたが、これに限定されるものでなく、回転振分体の周囲において、板バネを入球部における回転方向前側に臨ませ得る位置に臨む画成部材であればよい。
(4) 実施例では、第１〜第３回転振分体を同じモータで回転駆動するよう構成したが、各回転振分体を別々のモータで回転駆動する構成を採用し得る。
(5) 実施例では、第３振分装置において、第１入賞口にのみ規制部を設けたが、第２入賞口にも規制部を設け、両規制部の開口上縁高さを異ならせると共に、各規制部の開口上縁高さに応じて対応する球受部の底面高さを設定すればよい。
(6) 実施例では、第３振分装置における規制部として、第３回転振分体の回転中心を指向する側が開口する略ドーム状に形成されているものを採用したが、これに限定されるものではなく、入賞口に対応する球受部に受容されているパチンコ球の入球は許容するが、それ以外の球受部に受容されているパチンコ球の入球を規制し得るものであれば、各種構成を採用し得る。例えば、第３回転振分体の外周を囲う外周壁自体に、高さ位置が異なって入賞口に連通する複数の通孔を周方向に離間して形成し、該通孔を画成する開口縁部を規制部としてもよい。
(7) 別実施例では、入賞口の数と球受部の数とを同じにした場合で説明したが、入賞口の数より球受部の数を多くし、１つの入賞口に対応する球受部が複数設定されるものであってもよい。
(8) 第３回転振分体の回転方向、回転領域に対する通入口の位置等は、実施例および別実施例の構成に限定されるものではなく、反時計方向に第３回転振分体を回転させたり、また通入口を後方や左側方に設定してもよい。
(9) 実施例および別実施例では、特定入賞口に対応する球受部に対応して第３回転振分体にＶ字マークを付したが、該マークを付さないようにしてもよい。
【図面の簡単な説明】
【００７１】
【図１】本発明の好適な実施例に係るパチンコ機の遊技盤を示す正面図である。
【図２】実施例に係るセンター役物を示す正面図である。
【図３】実施例に係るセンター役物を示す概略斜視図である。
【図４】実施例に係る３つの回転振分体および動力伝達機構を背面側から示す概略斜視図である。
【図５】実施例に係る第１振分装置を示す要部正面図である。
【図６】実施例に係る第１振分装置に配設される第１板バネを示す概略斜視図である。
【図７】実施例に係る第１板バネにパチンコ球が当接した状態を示す説明図である。
【図８】実施例に係る第２振分装置を示す要部正面図である。
【図９】実施例に係る第２振分装置に配設される第２板バネを示す概略斜視図である。
【図１０】実施例に係る第２板バネにパチンコ球が当接した状態を示す説明図である。
【図１１】実施例に係る第３振分装置を示す要部横断平面図である。
【図１２】実施例に係る第３振分装置を示す要部正面図である。
【図１３】実施例に係る第３振分装置を示す要部縦断正面図である。
【図１４】実施例に係る規制部に対する第２球受部および第３球受部の底面高さの関係を示す説明図である。
【図１５】実施例に係る第３振分装置によりパチンコ球が振分けられる状態を示す説明図であって、(ａ)はパチンコ球が特定入賞口に入球される状態を示し、(ｂ)はパチンコ球が第２入賞口に入球される状態を示し、(ｃ)はパチンコ球が第１入賞口に入球される状態を示す。
【図１６】別実施例に係る第３振分装置を示す概略平面図である。
【図１７】別実施例に係る第３振分装置における規制部と球受部との関係を示す説明図である。
【符号の説明】
【００７２】
１０ 遊技盤
２４ 特定入賞口(有利な入球口)
２８ 透明板
３４ 第１回転振分体(回転体)
３４ａ  凹部(収納穴)
３７  モータ(駆動手段)
３８  第１画成部材(周辺部材)
３９  第２画成部材(周辺部材)
４０  第３画成部材(周辺部材)
４０ａ 受け部
４０ｂ 係合爪
４１  第４画成部材(周辺部材)
４２  第５画成部材(周辺部材)
４３  通路部材(周辺部材)
４４  取入口
４５  第１入球部(入球部)
４６  第１経路(経路)
４７  第２経路(経路)
４８  第１板バネ(弾性部材)
４９  止め部
４９ｃ 係合口
５０ａ 第１湾曲部位
５０ｂ 第２湾曲部位
Ｂ  パチンコ球(遊技球)
【図１】
0005271529.tif 000002
【図２】
0005271529.tif 000003
【図３】
0005271529.tif 000004
【図４】
0005271529.tif 000005
【図５】
0005271529.tif 000006
【図６】
0005271529.tif 000007
【図７】
0005271529.tif 000008
【図８】
0005271529.tif 000009
【図９】
0005271529.tif 000010
【図１０】
0005271529.tif 000011
【図１１】
0005271529.tif 000012
【図１２】
0005271529.tif 000013
【図１３】
0005271529.tif 000014
【図１４】
0005271529.tif 000015
【図１５】
0005271529.tif 000016
【図１６】
0005271529.tif 000017
【図１７】
0005271529.tif 000018